(57)【要約】      （修正有）【課題】ごみを確実にそして容易に集積でき、また動物の被害からも防ぐことができ、しかも設置場所での組立、分解が容易で、持ち運びも可能な組立型ごみ集積用具を提供する。【解決手段】設置面に立てた状態で複数枚を相互に連結して囲いを形成することによりその上部が開口したごみ集積部4を形成できる略矩形の側壁部材2と、該各側壁部材に着脱可能に取り付けられ、かつ形成された前記ごみ集積部に集積されるごみの上から覆い被せることにより前記開口を閉じることができる帯状蓋部材3とからなる組立型ごみ集積用具1。【選択図】図１
0003101642.tif 000002
【実用新案登録請求の範囲】
【請求項１】
設置面に立てた状態で複数枚を相互に連結して囲いを形成することによりその上部が開口したごみ集積部を形成できる略矩形の側壁部材と、該各側壁部材に着脱可能に取り付けられ、かつ形成された前記ごみ集積部に集積されるごみの上から覆い被せることにより前記開口を閉じることができる帯状蓋部材とからなる組立型ごみ集積用具。
【請求項２】
側壁部材が自己支持性材料又は補強材により支持性を保持してなる材料で形成されている請求項１に記載の組立型ごみ集積用具。
【請求項３】
側壁部材が防炎性材料又は不燃性材料で形成されている請求項１又は２に記載の組立型ごみ集積用具。
【請求項４】
帯状蓋部材が、一つの側壁部材に複数枚取り付けられており、かつ相互に隣接する帯状蓋部材の側端部が互いに重ね合わせられている請求項１〜３のいずれかの項に記載の組立型ごみ集積用具。
【請求項５】
帯状蓋部材が、ネットで形成されている請求項１〜４のいずれかの項に記載の組立型ごみ集積用具。
【請求項６】
側壁部材がごみの種類により色分け及び／又は絵柄で区別されている請求項１〜５のいずれかの項に記載の組立型ごみ集積用具。
【請求項７】
ごみ集積部が２〜６枚の略矩形の側壁部材を相互に連結することで形成されており、かつ帯状蓋部材が一つの側壁部材に２〜６枚取り付けられている請求項１〜６のいずれかの項に記載の組立型ごみ集積用具。
【考案の詳細な説明】
【技術分野】
【０００１】
本考案は、所定のごみ集積所に設置され、家庭などから出されるごみを一時的に集積しておくために用いられる組立型ごみ集積用具に関する。
【背景技術】
【０００２】
資源のリサイクルなどの観点から、最近ではごみの分別収集が行われている。ごみの分別収集方法は各自治体で異なるが、例えば、家庭で出されるごみは、生ごみなどの可燃物、ガラス、陶器などの不燃物、プラスチック容器、瓶、缶あるいは電池などのリサイクル品等の種類に分別されている。そして各家庭ではこのような分別方法に従って集めたごみを決められた収集日に予め指定のごみ集積所に持ち込み、ごみは一時的に集積所に集積され、その後、収集車によって回収されている。
【０００３】
ごみの集積所は、ごみ集積専用スペースの確保が難しいことや、ごみの回収が効率よくできることなどから道路脇等を利用して設定されることが多い。そして集積されたごみが烏や猫などの動物によって荒らされるのを防ぐために通常集積されたごみの上からネットやシートなどの覆いを被せて置くことも行われている。しかし、設置場所によっては、ごみの覆いによる囲いが確実にできないこともあり、積んで置いたごみが崩れて歩道や道路に広がり、通行を妨げたり、また覆いがずれたり、捲くれたりして設置面付近からごみがはみ出し易いなどの問題がある。特に生ごみなどの場合には、動物によりはみ出した部分のごみ袋が引き出されて破られ、生ごみが散乱するなどの被害も生じている。
【考案の開示】
【考案が解決しようとする課題】
【０００４】
本考案の目的は、ごみを確実にそして容易に集積でき、また動物の被害からも防ぐことができ、しかも設置場所での組立、分解が容易で、持ち運びも可能な組立型ごみ集積用具を提供することである。
【課題を解決するための手段】
【０００５】
本考案は、設置面に立てた状態で複数枚を相互に連結して囲いを形成することによりその上部が開口したごみ集積部を形成できる略矩形の側壁部材と、該各側壁部材に着脱可能に取り付けられ、かつ形成された前記ごみ集積部に集積されるごみの上から覆い被せることにより前記開口を閉じることができる帯状蓋部材とからなる組立型ごみ集積用具にある。
【０００６】
本考案のごみ集積用具はその側壁部材によりごみの集積スペースが確保されるために特に設置面に近い下部からのごみのはみ出しやごみの広がりもなく、ごみを確実に囲うことができる。また集積スペース（集積容量、設置面の面積）は用いる側壁部材の数を調整することで必要なごみの集積量や設置場所などに応じて変えることができる。さらに集積されたごみはその上部が、側壁部材に取り付けた帯状蓋部材により四方から重ね合わされた状態で覆われ、ごみには二重、三重に蓋がされた状態になるため隙間ができにくく、従って、動物の被害からも完全に防ぐことができる。特に帯状蓋部材としてネットを利用し、それらの各側端部を重ね合わせた状態で複数枚取り付けた場合でもごみには縦横にネットが掛けられた状態で蓋がされるため実質的にネットで形成される網目は非常に小さくなるので一枚のネットによる覆いに比べて、動物からの被害は受けにくくなる。一方、集積スペースからごみを出し入れする際には、従来のように一枚の大きなシート又はネットではなく、側壁部材毎に取り付けた短冊形の帯状蓋部材を単位として取り扱えばよく、覆う、剥ぐ、片付けるなどの作業が容易である。
【０００７】
本考案の組立型ごみ集積用具は、必要な枚数の略矩形の側壁部材と帯状蓋部材を用意し、所定の設置場所に持ち運び、これらを組み合わせることにより容易に組立てることができる。またごみの回収が終わった後には、分解し、部材毎にまとめ、容易に片付けることも可能である。さらに側壁部材を色分けや絵柄によりごみの分別表示を施すことができるため、特に異なる種類のごみを同時に収集する場合などには便利である。さらにまたこれらの部材として防炎性材料又は不燃性材料を用いることで防火対策も施すことができる。
【考案を実施するための最良の形態】
【０００８】
本考案を添付の図面を用いて説明する。
図１は、本考案のごみ集積用具１を組立てた状態の模式図を示す。また図２は、図１のＡ−Ａ断面模式図を示す。本考案のごみ集積用具１は、図１及び２に示すように、ごみ集積部４（ごみが入ったごみ袋の集積スペース）を形成する、複数枚の略矩形の側壁部材２と、該側壁部材に着脱可能に取り付けられ、ごみ集積部の蓋の役目をする帯状蓋部材３とから構成されている。
【０００９】
ごみ集積部４は、複数の側壁部材２をそれらの左右側で相互に連結させ、それらを立てた状態で一つの閉じた囲いとして配置することで形成されている。側壁部材２は、ごみ集積部４を形成するために２枚以上が用いられるが、ごみの集積量及び設置場所などに応じて、また側壁部材一枚あたりの大きさに応じてその必要枚数は調整される。持ち運び、組立、分解などの利便性を考慮すると、ごみ集積部４は２〜６枚の側壁部材２を用いて形成することが好ましい。例えば、３枚の側壁部材を用いてごみ集積部を形成する場合には、側壁部材一枚あたりの大きさは、高さが３０ｃｍ〜１ｍで横幅（長さ）が１．５ｍ〜２．５ｍが適当であり、好ましくは、高さが４０〜７０ｃｍで長さが１．８ｍ〜２ｍである。３枚とも同じ大きさのものを用いることが好ましいが、異なっていてもよい。
【００１０】
側壁部材２の形成用材料は特に限定されないが、例えば、金属（例えば、アルミニウム、真鍮、鉄（及びブリキ、トタンなどのメッキを施したもの）、ステンレススチールなど）、合成樹脂又は天然樹脂類（例えば、ポリエチレン樹脂、ポリプロピレン樹脂、スチレン系樹脂、塩化ビニル系樹脂、酢酸ビニル系樹脂、セルロース系樹脂、ポリアミド系樹脂、ＡＢＳ樹脂、フッ素系樹脂、シリコーン樹脂、ポリカーボネート樹脂、フェノール樹脂、メラミン樹脂、ポリエステル樹脂、アルキド樹脂、エポキシ樹脂、ポリイミド樹脂及びゴム類など）、合成紙及び複合材料（例えば、ＦＲＰや後述する不燃性材料）を利用することができる。これらの材料は、適当な厚みのシート又はボードなどの形状で用いられる。
【００１１】
上記材料の中では、取り扱い性などの点から樹脂又は複合材料であることが好ましい。そしてこれらの材料は、例えば、表面フッ素樹脂加工などが施された防炎性材料又は不燃性材料であることが好ましい。防炎性材料としては、例えば、商品名：ターポスクリーン＃１００５（防災登録番号ＣＴ８３００１９、平岡織染株式会社製）を挙げることができる。また不燃性材料としては、例えば、商品名：ＦＧ−８Ｆ（不燃材料認定番号ＮＭ−０４１４、ＮＩ帝人商事株式会社製）を挙げることができる。これらの材料は、自己支持性材料であるか、または補強材により支持性が付与された材料であることが好ましい。
【００１２】
図３は、側壁部材２の好ましい一例の模式図を示し、側壁部材２を正面、側面及び上から見た図である。また図４は、二枚の側壁部材２の連結状態を示すもので、各側端部が係合又は結合手段により相互に連結された状態を上から見た図である。
図３に示すように、立てた状態の側壁部材２に対して、その片面に所定の間隔で補強材７が垂直方向に支持されている。これにより、例えば、側壁部材自体が自己支持性を有しない材料を用いて形成されている場合でも支持性を付与することができる。但し、付与された支持性が完全でない場合でも、このような材料の側壁部材が複数連結され、一つの囲いとしてごみ集積部が形成できれば問題はない。このような側壁部材を用いることで、自己支持性でありながら、補強材間はフレキシブルな側壁部材自体の性質により比較的簡単に変形することができるために、ごみ集積部を所望の二次元の広がりを持つ形状で設置することができる。
【００１３】
上記補強材７は、腐食しにくく、かつ比較的高剛性、曲げ強度を有するもの、例えば、金属製のもの（特に、ステンレススチール）などが好ましい。補強材７は、図３に示すように、これを収容できる大きさのポケット６を垂直方向に予め作成しておくことで側壁部材２に支持させることができる。なお、図３には、片面にのみ補強材７が支持された例が示されているが、両面に交互に支持させることもできる。また補強材７を側壁部材２の片面に設けるときは、ごみ集積部４とは反対側、即ち、外側になるように設けることが好ましい。上記の方法以外では、例えば、側壁部材が薄いシート材料を貼り合わせて成形されているものである場合には、その成形工程で補強材を両材料で挟み、埋め込むような方法で支持させることもできる。
【００１４】
側壁部材２には、相互に隣接する側壁部材２を連結するために、及び帯状蓋部材３を取り付けるために係合又は結合手段５（５ａ、５ｂ）が施されていることが好ましい。係合又は結合手段５は特に限定されること無く、公知の手段を用いることができるが、係合又は結合手段は側壁部材同士の連結、あるいは連結とその解除及び帯状蓋部材の着脱を容易にできるものであることが好ましく、例えば、マジックテープを挙げることができる。マジックテープを用いる場合には、例えば、図３および図４に示すように、相互に隣接する側壁部材２の連結用として側壁部材２の左右両側端部に、また帯状蓋部材３の取り付け用としてその上端部にそれぞれその一方の係合又は結合手段５ａを設けることができる。勿論、相手の側壁部材、及び帯状蓋部材にもその他方の係合又は結合手段５ｂがそれぞれ設けられる。なお、図４の場合には、隣接する側壁部材の端部で連結した例を示しているが、マジックテープの相手側の係合又は結合手段５ｂを側壁部材の適当な位置、例えば、ポケット６の位置などに取り付けることができる。このようにすると、互いに隣接する側壁部材を適当な重なりで連結することができ、従って、ごみ集積部の容量も自由に調節することができる。
【００１５】
隣接する側壁部材の連結には、上記の方法以外に、例えば、側壁部材の相対する端部が雄雌型に形成されたもの、側壁部材の相対する端部が凹凸に形成され、これらを相互に噛み合わせることにより連結させるようにされたもの、あるいは側壁部材の相対する端部に複数の孔を形成しておき、これらの孔にリング又はスパイラルなどの結合手段で結合されるようにされたものなどを利用することもできる。なお、複数枚の側壁部材は、必ずしも一枚一枚が分離されている必要はなく、その設置場所に必要な枚数で組立てられるように予め側壁部材の一部又は全部を、設置場所で最後に連結される個所を残して連結しておくこともできる。その場合には、連結された側壁部材を折り畳んだ状態で保管し、使用に際して展開して組立てることができる。
【００１６】
側壁部材２に着脱可能に取り付けられる帯状蓋部材３は、一つの側壁部材に対して一枚取り付けられるように側壁部材の横幅に対応する幅で形成されていてもよいし、あるいは、一つの側壁部材に複数枚が取り付けられるような幅で形成されていてもよい。好ましくは、一枚の側壁部材に２〜６枚の帯状蓋部材が取り付けられるような幅で形成されていることである。そして帯状蓋部材３は、図５に示すように、帯状蓋部材３の各一枚はそれぞれ隣り合う帯状蓋部材３（又は隣接した側壁部材に取り付けられた帯状蓋部材）とその側端部同士が適当な幅で重なり合うように形成されていることが好ましい。この重なり合い３ｄにより、隙間のない覆い（蓋）を形成することができる。また、帯状蓋部材３は、側壁部材の内側（ごみ集積部が形成される側）の上端部に上記のような係合又は結合手段を介して取り付けられることが好ましいが、これ以外であってもよく、例えば、取り付ける側は、側壁部材の外側であってもよい。
【００１７】
帯状蓋部材３の幅は、作業性などから、通常３０ｃｍ〜１．５ｍであり、好ましくは、３０ｃｍ〜１ｍであり、更に好ましくは、３０ｃｍ〜７０ｃｍである。帯状蓋部材３の長さは、ごみ集積部の大きさ、形状により異なるが、ごみが集積されたときに十分ごみを覆い被せられる長さを有することが好ましい。例えば、形成されたごみ集積部が円形状であれば帯状蓋部材は全てほぼ同じ長さでもよいが、略矩形状であれば、それらの辺の長さに応じて調整することが好ましい。帯状蓋部材を形成する材料としては、従来からごみを覆い被せるために用いられている、シート材料又はネットを使用することができるが、特にネットであることが好ましい。なお、ネットを用いた場合には、その端部が捲くれ上がるのを防止するために、側壁部材に着脱可能に取り付けられる側とは反対側の帯状蓋部材の端部に、また帯状蓋部材の長手方向の側端部（上記重なり合い３ｄの部分の全部又は一部；３ｅ：図５参照）に沿って、適当な錘となるもの、例えば、シート材料などを付けることが好ましい。
【００１８】
本考案の組立型ごみ集積用具は、例えば、以下のようにしてごみ集積所に設置することができる。まず、所定枚数（例えば、３枚）の側壁部材をその各左右両側端部に設けた係合又は結合手段を利用して連結する。係合又は結合手段として例えば、マジックテープを設けた場合には、このマジックテープを利用して、所定枚数の側壁部材を設置面に順に連結させる。側壁部材は自己支持性材料又は支持性が付与された材料であるため、連結することで立てた状態に維持され、これにより、上部開口した所定の形状、大きさのごみ集積部を形成することができる。
【００１９】
次に、帯状蓋部材を複数枚用意し、これらを側壁部材の上端部に設けた係合又は結合手段として例えば、マジックテープを利用して取り付ける。この場合、各帯状蓋部材の側端部が互いに重なり合うように取り付ける。また、ごみの出し入れを容易に行うために、側壁部材全てに帯状蓋部材を取り付ける必要はない。例えば、側壁部材で断面略矩形のごみ集積部を形成した場合には、互いに対向する側壁部材についてその各一方の側壁部材のみに複数の帯状蓋部材を取り付ければよい。そしてごみの出し入れを行う側が帯状蓋部材の自由端により覆われるように配置する。このようにごみ集積用具を設置することで、ごみは、出し入れ側の上記帯状蓋部材の自由端を持ち上げ、そして覆い被せることでごみを集積することができる（図１又は２参照）。
【００２０】
本考案のごみ集積用具は、回収するごみの種類に応じて色分けや絵柄表示されていることが好ましい。色分けや絵柄表示することで、ごみを出す人にとってもその日に出すごみの種類がわかるために便利であり、また分別収集をより効率よく、確実に行うことができる。色分けは、例えば、予め着色された側壁材料を用いる、あるいは側壁部材を着色手段により着色する方法を利用して行うことができる。着色された材料としては、例えば、前述したカラーの防炎性材料又は不燃性材料を用いることができる。また着色手段としては、例えば、側壁部材の表面にペンキなどを塗布する、あるいはテープなどを貼る方法を挙げることができる。絵柄表示を行う場合には、直接側壁部材にペンキなどでごみの種類を描いてもよいし、あるいは別にごみの種類を描いたフィルムやシートなどを用意し、これをマジックテープなどで側壁部材に着脱可能に取り付けるようにしてもよい。帯状蓋部材も側壁部材と同様に色分け又は絵柄表示されていてもよい。
【図面の簡単な説明】
【００２１】
【図１】本考案のごみ集積用具を組立てた状態の模式図である。
【図２】図１のＡ−Ａ線断面模式図である。
【図３】側壁部材の好ましい一例の模式図であり、側壁部材を正面、側面及び上から見た図である。
【図４】二枚の側壁部材を連結した状態の好ましい一例を上から見た模式図である。
【図５】帯状蓋部材と側壁部材に複数枚の帯状蓋部材を取り付けた状態の好ましい一例の模式図である。
【符号の説明】
【００２２】
１  ごみ集積用具
２  側壁部材
３  帯状蓋部材
４  ごみ集積部
５  係合又は結合手段
６  ポケット
７  補強材
【図１】
0003101642.tif 000003
【図２】
0003101642.tif 000004
【図３】
0003101642.tif 000005
【図４】
0003101642.tif 000006
【図５】
0003101642.tif 000007